(57)【要約】【課題】圃場の土の耕起はもちろんのこと、土の乾燥を促進するための作業機で、心土耕起はもちろん圃場表面作土層の耕起のより表面残渣物の埋没性を向上でき、さらに中耕作業に用いることができるように放擲幅を小さくしたものを提供することを目的としている。【解決手段】作業機を構成する作業機フレームに複数の掘削反転爪ユニットを取付けて構成したサブソイリングディガ−プラウ作業機において、下端部にチゼルをもち、上端部が作業機フレームに対して取付けられているビームと、このビームに対して取付けられている掘削反転爪ユニットと、この掘削反転ボードユニットを構成する掘削反転板には高さ方向の中間位置に幅員寸法の減少部が形成されて、掘削上昇されるれき土の放擲速度、放擲量に制限が加えられるように構成したものである。【選択図】      図３
2004229574.tif 000002
【特許請求の範囲】
【請求項１】
作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削曲面部より幅寸法が漸減されて狭くなっている排出面部とをもち、前記掘削曲面部により掘削された掘削土が上昇する際に制限が加えられるように構成したことを特徴とするサブソイリングディガ−プラウ作業機。
【請求項２】
作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削曲面部より幅寸法が漸減されて狭くなっていて、作業進行方向の側方に向かってねじりが与えられている排出面部とをもち、前記掘削部により掘削された掘削土が上昇する際に側方に向かって放擲されるとともに、放擲排出土に制限が加えられるように構成したことを特徴とするサブソイリングディガ−プラウ作業機。
【請求項３】
作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削面部より幅寸法が階段的に漸減されて狭くなっている排出面部とをもち、前記掘削部により掘削された掘削土が上昇する際に制限が加えられるように構成したことを特徴とするサブソイリングディガ−プラウ作業機。
【請求項４】
作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削曲面部より幅寸法が階段的に漸減されて狭くなっていて、作業進行方向の側方に向かって捻りが与えられた排出面部とをもち、前記掘削曲面部などにより掘削された掘削土が上昇する際に上昇速度に制限が加えられるとともに、捕縄表面に開放されたとき側方に向かって放擲されように構成したことを特徴とするサブソイリングディガ−プラウ作業機。
【請求項５】
作業機を構成する作業機フレームに掘削反転爪を取付けて構成したサブソイリングディガ−プラウ作業機において、
下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部に連続して作業幅方向に捻りが与えられて正面視投影上幅寸法が掘削曲面部より漸減されて狭くなっていて、作業進行方向から次第に側方に向かって逸れる状態の排出面部とをもち、前記掘削部により掘削された掘削土が上昇する際に側方に向かって放擲されるとともに、排出れき土に対して上昇ときと、放擲ときに制限が加えられるように構成したことを特徴とするサブソイリングディガ−プラウ作業機。
【請求項６】
前記掘削反転爪ユニットは作業前面側に掘削反転板をもち、その裏面に金属製のブラケット板が密着状態で取り付けられていて、このブラケット板がビームに対して取付けられている構成であることを特徴とする請求項１ないし請求項５記載のサブソイリングディガ−プラウ作業機。
【請求項７】
前記掘削反転爪ユニットの掘削反転板は耐摩耗性があり、土の付着が少ないプラスチック板あるいは、金属板で形成した構成であることを特徴とする請求項１ないし請求項６記載のサブソイリングディガ−プラウ作業機。
【請求項８】
前記掘削反転爪ユニットの掘削反転板はチゼル表面に連続して掘削曲面部を形成した構成であることを特徴とする請求項１記載ないし請求項６記載のサブソイリングディガ−プラウ作業機。
【請求項９】
前記掘削反転爪ユニットは前記掘削反転板が土の付着の少ない金属板で形成されている構成であることを特徴とする請求項１記載のサブソイリングディガ−プラウ作業機。
【発明の詳細な説明】
【０００１】
【発明の属する技術分野】
本発明は、サブソイリングディガ−プラウ作業機に関し、さらに詳しくは、心土の掘り起こしと、掘削されたれき土が圃場表面上に排出放擲される量、速度に制限を加えることで隣り合った畝にれき土が放擲されることのないようにして中耕作業にも用いることができるようにしたサブソイリングディガ−プラウ作業機に関する。
【０００２】
【従来の技術】
周知にように、わが国高温多雨地帯に属するため、農業生産の基盤となる圃場は余剰水分の処理が重要であって、圃場の環境を改善するためには土壌の排水を図るばかりでなく、土壌を乾燥させることが必要である。
そのために、欧米の機械化された農業に採用されているボトムプラウ作業機を用いた反転耕法がわが国でも採用されているが、元来集約農業であるわが国の農業ではその普及が遅々として進まないのが現状である。
特に、本州以南では亜熱帯に近い気候であるので土壌の乾燥の促進を図る上で反転耕法を採用すべきであるが、本州の多くの農家の営農規模は北海道のそれに比較して小さく、ボトムプラウ作業機は普及するに至っていないのである。
【０００３】
また、圃場土壌の排水を促進する作業機としてサブソイラ作業機が採用されている。これは土壌中にスリット状の深い溝を形成して硬化層や心土層の一部を破砕し、このスリット状の空間に圃場の余剰水を硬化層以下の心土層中に導くようにしたものである。
ところが、サブソイラ作業機は圃場の土中にスリット状の空間を形成するだけで、いわば、部分深耕の一つではあるが、耕起機能はもたないために圃場表面の乾燥は図ることができるが、圃場の表土下の深い位置での土壌を積極的に乾燥させる機能は持ち合わせていない。
また、先に本願出願人が提案した数々の掘削作業機、サブソイルディガープラウ作業機は掘削爪を１つのユニットとしてこれを作業機フレームに取り付けて圃場に対して掘削、耕耘するようにしたものである。
具体的には、特開平９−３２２６０１号公報や、特開２０００−２７０６０２号公報を挙げることができる。
【０００４】
【発明が解決しようとする課題】
上述の先行技術に係る作業機は、何れも作業機を構成する作業機フレームに前記耕耘爪ユニットが作業進行方向に向って横一列の配列構成になったものである。これらの作業機でも圃場土壌の排水、乾燥を促す上では大変有効であるが、掘削反転刃を深い位置に潜り込ませての作業のため作業牽引抵抗が大きく、わが国の殆どの農家で使用されているトラクタではその作業を行うことができない。敢えて作業を行うとすれば掘削反転爪ユニットの数を単数にした作業機が使用できるに留まっている。これでは圃場区画の拡大により大規模化された農業経営には適さない。
【０００５】
また、大規模化傾向にある圃場を能率よく乾燥させるには大型化された作業機が必要であるが、わが国農業の特殊性を考えると、やはり小型のトラクタに適用できる作業機の必要性はかなり高いものがある。
言い換えると、作物生育上圃場環境を整える作業を能率よく行うことを考えると大型化された作業機や、トラクタが必要であるが、わが国農業の特殊性を考慮すると、比較的小型のトラクタにより使用できる作業機でないと普及が困難であり、両者の関係は二律背反の関係にある。
また、前記作業機は心土の掘起作業には適しているが、圃場表面に存在する夾雑物、たとえば、雑草や収穫後の切り株などの埋没作業を行うには適していない。
【０００６】
さらにまた、作付け後の中耕作業に用いることで圏根域の拡大や余剰水の排除、さらにはこの余剰水を心土部分に蓄えることで乾燥にも強い圃場環境の整備にも貢献することができるのであるが、中耕作業に用いた場合、圃場表面に排出されたれき土が隣り合った畝の作物、とくに発芽間ない作物の上まで飛び散ることには注意が必要になり、放擲域を制限することが必要になる。
【０００７】
また、掘削跡に形成される溝空間の開放口が大きい場合、畑圃場ではさして問題は生じないが、水田圃場の場合には後に田植え機による作業を行う際に田植え作業機の轍が前記溝空間の開放口に陥没することがあって、その作業を困難にすることがあった。即ち、前記溝空間の開放口は作業後の時間的な経過とともに閉塞されるのであるが、経過後にあってもその開放口は土が柔らかくなっているので田植え作業機の重量により轍がそれと一致すると轍が陥没することがあった。
【０００８】
そこで、本発明は通気性、透排水性が悪く、栄養分が少ない疲弊気味の心土を圃場表面に耕起し、併せて、圃場表面における反転放擲されるれき土が隣り合った畝まで放擲されることがなく、適当な範囲での放擲にとどめ作物の生育を阻害することのないようにして圃場環境の改善を図ろうとする目論見に逆行することなく確実に圃場環境の改善を図ることができ、さらには、掘削溝が原因する作業上の不都合をも併せ解決ようにしたものである。
【０００９】
【課題を解決するための手段】
上述のような課題を解決するために、本発明は先ず、作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削面部より幅寸法が漸減されて狭くなっている排出面部とをもち、前記掘削部により掘削された掘削土が上昇する際に制限が加えられるように構成したことを特徴とするものであるから、掘削曲に曲面部において掘削されたれき土が排出面部に沿って上昇して排出されるとき、排出面部で形成される空間が幅が狭くなっていてから上昇されるれき土が制限を受けることになり、圃場表面に放出されるに際して抵抗になり、隣り合った畝にまで届くような放擲が行われることがない。
【００１０】
また、作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削面部より幅寸法が漸減されて狭くなっていて、作業進行方向の側方に向かってねじりが与えられている排出面部とをもち、前記掘削部により掘削された掘削土が上昇する際に側方に向かって放擲されるとともに、排出量に制限が加えられるように構成したことを特徴とするものであるから、掘削されたれき土が土中に空間を形成しながら掘削されたれき土をその上部空間から圃場表面へと排出するのであって、排出される土の量に制限が加えられているので隣り合った畝までれき土を放擲することがなく、しかも作業進行方向の側方に向かって確実に放擲して、心土の更新とともに地中に排水空間を確実に形成することができる。
【００１１】
また、作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削面部より幅寸法が階段的に漸減されて狭くなっている排出面部とをもち、前記掘削部により掘削された掘削土が上昇する際に制限が加えられるように構成したことを特徴とするものであるから、掘削されたれき土が土中に空間を形成しながら掘削されたれき土をその上部空間から圃場表面へと排出するのであって、排出される土の量に制限が加えられているので隣り合った畝までれき土を放擲することがなく、しかも作業進行方向の側方に向かって確実に放擲して、心土の更新とともに地中に排水空間を確実に形成することができ、掘削爪ユニットの製作が容易である。
【００１２】
また、作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部の上部位置に形成され掘削面部より幅寸法が階段的に漸減されて狭くなっていて、作業進行方向の側方に向かってねじりが与えられている排出面部とをもち、前記掘削部により掘削された掘削土が上昇する際に側方に向かって放擲されるとともに、排出量に制限が加えられるように構成したことを特徴とするものであるから、掘削されたれき土が土中に空間を形成しながら掘削されたれき土をその上部空間から圃場表面へと排出するのであって、排出される土の量に制限が加えられているので隣り合った畝までれき土を放擲することがなく、しかも作業進行方向の側方に向かって確実に放擲して、心土の更新とともに地中に排水空間を確実に形成することができる。
【００１３】
また、作業機を構成する作業機フレームに掘削反転爪を取付けて構成したサブソイリングディガ−プラウ作業機において、下端部にチゼルをもち、上端部が作業機フレームに対して取付けられているビームと、このビームに対して取付けられている掘削反転爪ユニットを備え、前記掘削反転爪ユニットは少なくともチゼル表面に連続した掘削曲面部と、この掘削曲面部に連続して作業幅方向に捻りが与えられて正面視上幅寸法が掘削曲面部より漸減されて狭くなっていて、作業進行方向とは次第に側方に向かって逸れる状態の排出面部とをもち、前記掘削部により掘削された掘削土が上昇する際に側方に向かって放擲されるとともに、排出土に制限が加えられるように構成したことを特徴とするものであるから、排出面部の作業進行方向に向かっての幅寸法が上端に向かうほどに減じられているので掘削後に形成される溝空間が上部に向かって減じられるので心土の掘削と反転ができ、さらには掘削される土が必要以上に広い範囲に放擲されることがない。
【００１４】
また、前記掘削反転爪ユニットは作業前面側に掘削反転板をもち、その裏面に金属製のブラケット板が密着状態で取り付けられていて、このブラケット板がビームに対して取付けられている構成であることを特徴とするものであるから、ブラケット板が掘削反転板の補強の機能をも併せもち掘削反転機能に加えて、反転板の補強も期待することができ、さらには、ビームに対する取り付けの容易性の向上を図ることができる。
【００１５】
また、前記掘削反転爪ユニットの掘削反転板は耐摩耗性があり、土の付着が少ないプラスチック板あるいは、金属板で形成した構成であることを特徴とするものであるから、圃場の土が掘削反転ユニットに付着して掘削機能を低下させることがない。
【００１６】
また、前記掘削反転爪ユニットの掘削反転板はチゼル表面に連続して掘削曲面部を形成した構成であることを特徴とするものであるから、掘削作業時の抵抗がなく円滑に掘削した土を上昇移動させることができる。
【００１７】
また、前記掘削反転爪ユニットは前記掘削反転板が土の付着の少ない金属板で形成されている構成であることを特徴とするものであるから、圃場の土質によっては構造簡単にして掘削、反転作業を容易に行うことができる作業機を提供することができる。
【００１８】
【発明の実施の形態】
以下、本発明の実施の形態について添付した図１ないし、図１１に沿って説明する。これらの図において符号１００は本発明に係るサソイリングディガープラウ作業機全体（以下、作業機と略称する）を示し、この作業機１００は作業幅方向に沿って長い作業機フレーム１１と、この作業機フレーム１０の作業幅方向の中央位置に立設されているセンターマスト１１、さらに、このセンターマスト１１の両脇にあってセンターマストとは逆に下方に伸びるロアアーム１２が設けてあり、ロアアーム１２の先端部にはトラクタのもつロアリンクＬのヒッチピン１２Ａが取り付けてある。
【００１９】
前記センターマスト１１の先端部１３Ｂにはボルト１３ＡによりトラクタのもつアッパリンクＵをヒッチするためのヒッチ座１３が枢着されていて、このヒッチ座１３は前記ボルト１３Ａを中心とした回転を止めるボルト孔をもち、前記センターマスト１１の先端部１３Ｂに穿ってあるボルト孔１３Ｘ、１３Ｙの何れかを選択して先端部１３Ｂに対するヒッチ座１３の姿勢を固定できるようになっている。これはアッパリンクのヒッチ点を選択するためであって、作業条件や、作業機の圃場間移動の場合に使用される。
【００２０】
そして、前記作業機フレーム１０にはこれから説明する掘削反転爪ユニット２０を取付けるための取付け座アーム１５が取付けられており、この取付け座アーム１５は前記作業機フレーム１０に対して締着されているフランジ１６から延びている。このフランジ１６は作業機フレーム１１の外周のうち半周を囲む形状で「く」型をしたもので、このフランジ１６に対して前記取付け座アーム１５が作業進行方向の後方に向かって延びた板状のもので形成されている。このフランジに対して作業機フレーム１１の残る半周分を囲む「く」型のボルト１７によりその両端部がフランジ１６を貫き、作業機フレーム１０の周囲を略半周しているフランジをナットで締めることで締着されて取付けられている。
【００２１】
この取付け座アーム１５はセンターマスト１１を中心として作業幅方向の左右に一つづつ設けてあり、言い換えると、２本の掘削反転爪ユニット２０を装備することができるようになっている。いわゆる２本爪装備の作業機である。
前記取付け座アーム１５の端部が取付け座アーム１５Ａになっており上下に穿ったボルト１５Ｂにより掘削反転爪ユニット２０を構成するビーム２１の上端部２１Ｕを取付け得るようになっている。
【００２２】
このビーム２１はその上端部２１Ｕの前縁（作業進行方向の前側の縁）は側面視上直線状であり、この前縁に連続して中間部２１Ｃと作業進行方向に突き出した下端部２１Ｓとの間を結んで弧を描いた曲線状になっている。その下端部２１Ｓにはベッド２２Ａを介してチゼル２２が取付けられて、掘削作業時に先頭位置となって掘削作業を行うようになっている。
【００２３】
このビーム２１には前記上端部２１Ｕ、中間部２１Ｃの前縁に沿った形状の弧を描いた板状のブラケット板２３が取付けられるのであって、このブラケット板２３の裏側には適当な間隔で取付けられている一対の取付け板片２３Ａ、２３Ａが複数組あり、これらの取付け板片２３Ａがビーム２１を両側面側から挟む状態におかれてビーム２１にボルトにより取付けられている。このブラケット板２３は金属板などで形成されたもので、後に説明する掘削反転板２５を補強する機能と、ビーム２１に対する取付けを容易にする機能をもっていて、さらに、ブラケット板２３はビーム２１の上端部２１Ｕ近くまでせり上がって延びた形状になっており、掘削反転板２５のもつ曲面に沿った形状になっている。
【００２４】
さらに詳しくは、ブラケット板２３にはその裏面に適当な間隔で数組の取付け板片２３Ａ、２３Ａがビーム２１を挟むことができる間隔を保って溶接などにより固定されていて、この一対の取付け板片２３Ａ、２３Ａは板片が並列配置されたものほか、断面形状がＬ型形状で一辺がブラケット板２３の裏側に、他の一辺がビーム２１の片面に宛がわれてボルトなどにより、あるいは逆Ｕ字型の取付け板片を用いてブラケット板２３をビーム２１に取付けることができる。
【００２５】
このブラケット板２３には、その作業進行方向前面に沿って掘削反転板２５が密着した状態で取付けられていて、掘削反転板２５の裏側から補強している。また、掘削反転板２５の下端部２５Ｓは前記チゼル２２の表面と段差なく連続した曲面で連続しており、その中間部２５Ｃは弧を描いて上方へと延びて掘削面部２５Ｋを形成している。さらに、その上端部２５Ｕはブラケット板２３の最上端部より上に延びて掘削土の圃場表面への排出を促すための排出面部２５Ｙを形成している。
【００２６】
さらに、排出面部２５Ｙに沿って上昇する掘削土を作業進行方向の側方に放擲するために、この掘削反転板２５の上端部２５Ｕは排出面部２５Ｙに連続して前記ブラケット板２３と共に、あるいは掘削反転板２５の上端部２５Ｕのみに、作業進行方向に向かって左右方向の何れかに向かって次第に捩れが与えられて反転曲面部２５Ｘが形成されている。この反転曲面部２５Ｘは前記ブラケット板２３にも形成されているが、ブラケット板２３より掘削反転板２５の方が高さが高いので、言い換えると、下端部からの長さが長いので、捻りの状態は掘削反転板２５の方が大きく捻られた形状になっている。
【００２７】
この掘削反転板２５には圃場の土の付着が少なく、作業抵抗が小さい上に、摩擦による摩耗が少ないプラスチックス製、たとえば、プロピレンや、ナイロンなどの樹脂が使用される。また、この掘削反転板２５は前記プラスチックスのほか、土の性質によってはステンレス製、スチール製の方が土の付着が少ないことがあるので、使用される圃場の土質に合わせてその材質が選択される。このとき、ブラケット板２３と同一金属製が使用される場合には、ブラケット板２３そのものを掘削反転爪として使用することがある。言い換えると、ブラケット板２３を掘削反転板２５と兼用させることもできる。
【００２８】
さらに、この掘削反転板２５の上下方向の中間部位置２５Ｃは下端部２５Ｓから連続している側面視上曲面を描いているが、直線状の傾斜面でもよく、さらには作業幅方向にはその幅が減じられている。その幅寸法の変化は、図５、図７に示すように、下端部はＨ幅、上端部２５Ｕはｈ巾になっていて、幅員寸法減少部として段部２５Ｄを介して中間部２５Ｃと、下端部２５Ｓとは連続していて、その段部２５Ｄの数は１つあるいは数個にわたるものがある。
また、図３に示すように、この段部２５Ｄに代えて掘削曲面部２５Ｘをもつ部分と中間部２５Ｃであるである排出面部２５Ｙの間において幅員寸法減少部を直線的（漸減直線２５Ｌ）に形成して中間部２５Ｃの幅寸法が減じられるものもある。
【００２９】
要するに、掘削曲面部２５Ｘの寸法が上端部に向かって作業幅寸法が減少して、作業により得られる溝空間の断面形状がチゼルや、掘削曲線部２５Ｘ部分では大きく、これに連続する排出面部２５Ｙの幅員寸法が段部２５Ｄあるいは、直線的な変化により減少して溝の空間構造が下部が大きく、上部が狭く小さい、いわゆる蛸壺形状になっていることで，チゼル２２、掘削曲面部２５Ｘで掘削された掘削土が上昇する際に上昇するに連れて速度、あるいはその量的に制限が加えられて、掘削空間の開放端部から勢い良く排出されがちな排出れき土の量はもとより、排出排出速度に制限を与えている。
【００３０】
以上は、掘削反転板２５において掘削曲面部２５Ｋに比較して、排出面部２５Ｙの幅寸法を減少させたものであるが、その幅Ｈの減少は、作業進行方向に向かっての幅が減じられていることが必要であって、言い換えると、作業進行法方向における投影面積、投影幅が減少していればよいことから、前記段部２５Ｄ、あるいは、漸減直線２５Ｌにより減じられる他、掘削反転板２５に９０度近い捻り２５Ｔを与えて、上端部に近い程正面における投影幅が細いものになっている。言い換えると、作業進行方向に向かって掘削反転板２５の実効的な幅が復員寸法減少部２５Ｆを介して減じられた形状になっている。
【００３１】
この掘削反転板２５の高さ方向の中間位置に幅員寸法減少部として捻り部２５Ｔを与えて形成したものにあっては、ブラケット板２３においても捻り部２３Ｔが必要になるが、ブラケット板２３の長さ、言い換えると、高さを掘削反転板２５より低いものにしておくことで、ブラケット板２３の捻りの度合いを小さい部分だけにより形成することができる。
ブラケット板２３の裏打ち補強が期待できない掘削反転板２５の上端部では裏側にリムあるいは、肉厚の大なる部分を形成することで強度を補うようにする。もちろん、ブラケット板２３に捻り部２３Ｔを与えて上端寄りを延ばすことで掘削反転板２５を裏打ち補強することも可能である。
この掘削反転板２５に捻り部２５Ｔを介して上端部２５Ｕを幅の狭い部分ｈに形成して作業進行方向の投影上の幅を狭くしたものにあっては、掘削反転板２５の幅寸法が下から上まで同一幅寸法である場合には、捻り加工に困難を伴うが、捻り部Ｔから上端寄りを幅の狭いものにした方が加工が容易になり、加工上の都合から掘削反転板２５の幅寸法を下端部に比較して上端部の方を狭いものにすることが望ましい。
【００３２】
次に、本発明によるプラソイリングディガープラウ作業機１００を用いた作業について説明する。先ず、作業機１００はトラクタに３点リンク機構により装着されて作業に供されるものであって、実際の作業機軌跡を圃場の断面形状により説明すると、図４に示すように、掘削反転板２５による掘削作用により心土部分Ｗにはチゼル２２、ならびに掘削反転板２５の掘削面部２５Ｋが位置し、作土層部分Ｖには排出面部２５Ｙがそれぞれ位置して掘削、排出作業を行うので、掘削軌跡においては下部が大きい空間Ｋ１、が形成されると共に、上端部に向かって立ち上がった幅の狭くなっている小さい空間Ｋ２が形成される。このように空間Ｋ１から空間Ｋ２のように幅方向の寸法が狭くなっていることで、掘削されて上昇するれき土が上昇途中で制限されて上昇量と共に、上昇速度が制限されることになり、側方へれき土が飛散されることが少なくなる。
【００３３】
この図３、図４では掘削反転板２５における捻り２５Ｔ部分が作土層Ｖと心土層Ｗとに境界部分に位置しているものを示したが、前記捻り部分２５Ｔの位置は心土層Ｗに位置して掘削作業を行うものの場合が好ましく、作土層Ｖ部分において掘削土量が多いと、放擲量が多くなって隣り合わせた畝まで放擲れき土が飛散して、植え付け後生育途中の作物の上に覆いかぶさることを防ぐことができる。掘削、放擲量は圃場の土質との関係で定まるので圃場環境に合わせて掘削反転板２５の耕深を選択することが必要である。
【００３４】
この掘削作業において、チゼル２２、さらには掘削反転板２５における掘削曲面部２５Ｋが位置する空間Ｋ１では掘削された土が掘削反転板２５がもつ曲面に沿って上昇させられるとき、上昇に連れて空間Ｋ２は空間Ｋ１より小さくなっているので、上昇れき土は上昇に抵抗などによる制限が加えられて上昇速度が減じられるとともに、上昇するれき土の量も減じられて、れき土が圃場表面において開放された場合、飛散する範囲、詳しくは、作業進行方向の側方に飛散する領域幅が小さくなって隣併せに存在する作物の上に飛散土が被さることがない。
【００３５】
前記空間Ｋ１、Ｋ２を形成する掘削反転板２５の形状は、幅員寸法減少部２５Ｆとして、捻り２５Ｔに代えて、図３に示すように、掘削曲面部２５Ｋから反転曲面部２５Ｘに連続する部分が直線的に復員が漸減直線２５Ｌにより減じられた形状の他、図７に示すように段階部２５Ｄにより減じられることで空間Ｋ１と、空間Ｋ２とを連続して形成させることもできる。
【００３６】
このとき、圃場表面に雑草や、切り株などの夾雑物が存在している場合には、掘削反転板２５により放擲されたれき土により、それらが覆土されて雑草を確実に埋没させるので、これらの繁茂を防止するとともに、有機物として圃場に還元することができる。
反転土の下側に確実に埋没させることができる。
【００３７】
また、掘削反転板２５により深い位置、すなわち、心土Ｗから掘削されたれき土は圃場の表面に放擲され、栄養分の少ない心土が過剰施肥や、永年施肥による残存肥料を含む作土層Ｖ上に放擲されて作土と混合されて心土の再生をも図ることができる。
【００３８】
また、圃場表面に形成されるスリット状の溝空間は内部が大きい空間にもかかわらず、開放口は幅が狭くなっているので後に田植え作業機による植え付け作業時に轍がこの溝に陥没することがなく、とくに水田圃場の管理に適し、とくに中耕作業に用いることが可能になっている。
【００３９】
以上の説明では、掘削反転板２５の反作業面側にブラケット板２３を取り付けた例を示したが、圃場土質との関係から金属製であっても土が付着しにくい土質があり、この場合、掘削反転板２５を金属製としてブラケット板２３を省略、あるいは兼用させることができる。
【００４０】
【発明の効果】
以上の説明から明らかなように、本発明の作業機によれば、本発明は先ず、作業機を構成する作業機フレームに複数の掘削反転放擲爪を取付けて構成したサブソイリングディガ−プラウ作業機において、下端部にチゼルをもち、上端部が作業機フレームに対して取付けられているビームと、このビームに対して取付けられている掘削反転爪ユニットとを備え、前記掘削反転爪ユニットは少なくともチゼル表面に連続した掘削曲面部と、この掘削曲面部の上部位置に形成された反転曲面部とをもち、少なくとも、前記掘削曲面部と上端部との中間部において正面における投影面積が小さくなった部分が形成されているので、心土層部分では大きな空間が形成され、圃場表面に近い位置では幅の狭い溝状の空間が形成されることで、心土部分を掘削したれき土が表面側へと上昇するにつれて上昇速度、ならびに放擲速度に制限が加えられ、さらには排土量にも制限が加えられてれき土の放擲量が少なくなると共に、放擲範囲が狭くなって隣り合わせの畝上にれき土を被せることがない。しかも、心土の再生にも寄与することができる。
【００４１】
また、掘削曲面部に続いて形成される反転曲面部との境界部分が段部をもって幅員が狭くなって形成されているので、掘削反転板の加工が容易であり、取り付け後の強度にも問題は生じない。
【００４２】
また、掘削曲面部に続いて形成される反転曲面部との境界部分が段部を重ねて漸次的に幅員が狭くなって形成されているので掘削反転板の加工が容易であるとともに、強度上にも問題はない。
【００４３】
また、前記段部や、漸次的に幅員の減少による段部、さらには直線的な漸減により形成されて、その上部の幅員を狭くすることに加えて、段部に相当する部分に捻り部を与えて投影上の幅を狭くすることで作土層に形成される空間の幅を狭く、小さいものにすることができる。
圃場にあっては掘削反転爪ユニットにより形成される溝により余剰水分の排水を促すことができ、作土の深さに合わせた掘削土の放擲量に適当な制限を加えるとことができ、圃場における作土環境の整備や中耕作業に貢献することができ、さらには、水田圃場においては表面の溝空間の開放口が小さいことで田植え作業機の轍が陥落することがない。
【図面の簡単な説明】
【図１】本発明のサブソイリングディガープラウ作業機の実施形態を示す正面図である。
【図２】同じく、サブソイリングディガープラウ作業機の実施形態を示す側面図である。
【図３】同じく、サブソイリングディガープラウ作業機における掘削反転爪ユニットの正面図である。
【図４】図３に示す掘削反転爪ユニットを用いた作業軌跡を示す説明断面図である。
【図５】同じく、掘削反転爪ユニットの他の実施態様を示す正面図である。
【図６】図５に示す掘削反転爪ユニットを用いた作業軌跡を示す説明断面図である。
【図７】同じく他の実施態様における、サブソイリングディガープラウ作業機における掘削反転爪ユニットの正面図である。
【図８】同じく、本発明のサブソイリングディガープラウ作業機に掘削反転ユニットを用いた掘削作業断面を示す断面図である。
【図９】同じく他の実施態様によるサブソイリングディガープラウ作業機の掘削反転爪ユニットの正面図である。
【図１０】同じく掘削反転爪ユニットの平面図である。
【図１１】同じく、掘削反転爪ユニットを用いた掘削作業断面を示す断面図である。
【符号の説明】
１００  作業機
１０    作業機フレーム
１１    センターマスト
１２    ロアアーム
１３    ヒッチ座
１３Ａ  ボルト
１３Ｂ  先端部
１３Ｘ  ボルト孔
１３Ｙ  ボルト孔
１５    取付け座アーム
１５Ａ  取付け座
１６    フランジ
１７    ボルト
２０    掘削反転爪ユニット
２１    ビーム
２１Ｕ  上端部
２１Ｃ  中間部
２１Ｓ  下端部
２２    チゼル
２２Ａ  ベッド
２３    ブラケット板
２３Ａ  取付け板片
２５    掘削反転爪
２５Ｓ  下端部
２５Ｃ  中間部
２５Ｕ  上端部
２５Ｘ  反転面部
２５Ｋ  掘削曲面部
２５Ｄ  段部
２５Ｔ  捻り部
２５Ｌ  漸減直線部
２５Ｆ  幅員減少部
【図１】
2004229574.tif 000003
【図２】
2004229574.tif 000004
【図３】
2004229574.tif 000005
【図４】
2004229574.tif 000006
【図５】
2004229574.tif 000007
【図６】
2004229574.tif 000008
【図７】
2004229574.tif 000009
【図８】
2004229574.tif 000010
【図９】
2004229574.tif 000011
【図１０】
2004229574.tif 000012
【図１１】
2004229574.tif 000013